(57)【要約】【課題】装置本体の上面部にスキャナーを取り付けた画像形成装置において、装置本体に外力が作用して装置本体が歪みを生じた場合に、その装置本体の歪みがスキャナーに伝わることを防止する。【解決手段】画像形成部を収納した装置本体３の上部にスキャナー５を取り付け、一端側が装置本体３に固定されて他端側がスキャナー５に固定された複数の連結体２８によって装置本体３とスキャナー５とを固定する。連結体２８に、スキャナー５を支持可能な剛性と装置本体３の歪みがスキャナー５に伝わることを阻止可能な可撓性とを持たせる。このため、外力が作用して装置本体３が歪みを生じた場合には、連結体２８が撓み変形して装置本体３の歪みがスキャナー５に伝わることが阻止され、装置本体３の歪みが原因でスキャナー５が歪むことによるスキャナー５の読取性能の低下が防止される。【選択図】    図３
2005043540.tif 000002
【特許請求の範囲】
【請求項１】
画像形成部を収納した装置本体と、
前記装置本体の上部に位置付けられたスキャナーと、
一端側が前記装置本体に固定され、上方向きに突出した他端側が前記スキャナーに固定された複数の連結体と、
を具備し、
前記連結体は、前記スキャナーを支持可能な剛性と前記装置本体の歪みが前記スキャナーに伝わることを阻止可能な可撓性とを有する画像形成装置。
【請求項２】
前記連結体は板形状に形成され、厚み寸法の薄い方向の面が前記装置本体の側面と前記スキャナーの側面とに固定されている請求項１記載の画像形成装置。
【請求項３】
前記連結体は、前記装置本体から切り出すことにより形成されている請求項１又は２機差の画像形成装置。
【請求項４】
前記スキャナーの底面部に４つ又は３つの支持凸部が形成され、前記支持凸部が前記装置本体の上部に当接されている請求項１ないし３のいずれか一記載の画像形成装置。
【請求項５】
書込ユニットを支持する書込ユニットフレームを前記装置本体内に具備し、
前記書込ユニットフレームは前記装置本体に固定される３つの被支持部を有している請求項１ないし４のいずれか一記載の画像形成装置。
【請求項６】
前記装置本体には３つの前記被支持部が固定される３つの支持部が設けられ、隣り合う２つの前記支持部の間隔に対してそれらの２つの前記支持部に固定される２つの前記被支持部の間隔が公差を有している請求項５記載の画像形成装置。
【発明の詳細な説明】
【０００１】
【発明の属する技術分野】
本発明は、画像形成装置に関する。
【０００２】
【従来の技術】
従来、画像形成部を収納した装置本体の上部にスキャナーを取り付けた画像形成装置が知られている。このような画像形成装置のなかには、装置本体とスキャナーとが一体構成のものもあるが、装置本体の上部にスキャナーをネジ止め等により固定した構成のものもある。
【０００３】
装置本体の上部にスキャナーをネジ止めして固定した構成の画像形成装置について図１０ないし図１２に基づいて説明する。
【０００４】
図１０は、その一例である。スキャナー１０１の外装ケース部分の下面に複数の取付片１０２が固定され、これらの取付片１０２と画像形成装置の装置本体１０３の上面板１０４とが面接触し、取付片１０２と上面板１０４とがネジ１０５で締付固定されている。上面板１０４の上面部にはネジ１０５が螺合されるネジ穴が形成され、取付片１０２にはネジ１０５が挿通される丸穴が形成されている。
【０００５】
図１２は、他の一例である。装置本体１０３の側面とスキャナー１０１の外装ケースの側面とに跨って固定板１０６が当接され、この固定板１０６とスキャナー１０１及び装置本体１０３とがネジ１０５で締付固定されている。スキャナー１０１の外装ケースの側面と装置本体１０３の側面とにはネジ１０５が螺合されるネジ穴が形成され、固定板１０６にはネジ１０５が挿通される丸穴が形成されている。
【０００６】
【発明が解決しようとする課題】
しかし、図１０に示した画像形成装置では、装置本体１０３に外力が作用することにより装置本体１０３が図１１に示すように角度θ歪んだ場合、取付片１０２を上面板１０４にネジ止めされているスキャナー１０１にその歪みが伝わってスキャナー１０１も同じように歪みを生じ、読取性能が低下する原因となる。なお、装置本体１０３に外力が作用して装置本体１０３が歪みを生じる場合としては、スキャナー１０１を取り付ける前に歪みを生じる場合と、スキャナー１０１を取り付けた後に歪みを生じる場合とがある。
【０００７】
図１２に示した画像形成装置でも、装置本体１０３に外力が作用して装置本体１０３が歪みを生じると、装置本体１０３と同じようにスキャナー１０１も歪みを生じる。
【０００８】
本発明の目的は、装置本体の上面部にスキャナーを取り付けた画像形成装置において、装置本体に外力が作用して装置本体が歪みを生じた場合に、その装置本体の歪みがスキャナーに伝わることを防止し、スキャナーが歪みを生じないようにすることである。
【０００９】
【課題を解決するための手段】
請求項１記載の発明の画像形成装置は、画像形成部を収納した装置本体と、前記装置本体の上部に位置付けられたスキャナーと、一端側が前記装置本体に固定されて上方向きに突出した他端側が前記スキャナーに固定された複数の連結体と、を具備し、前記連結体は、前記スキャナーを支持可能な剛性と前記装置本体の歪みが前記スキャナーに伝わることを阻止可能な可撓性とを有する。
【００１０】
したがって、装置本体に外力が作用して装置本体が歪みを生じた場合には、連結体が撓み変形することにより装置本体の歪みがスキャナーに伝わることが阻止され、装置本体の歪みが原因でスキャナーが歪むことによるスキャナーの読取性能の低下が防止される。
【００１１】
請求項２記載の発明は、請求項１記載の画像形成装置において、前記連結体は板形状に形成され、厚み寸法の薄い方向の面が前記装置本体の側面と前記スキャナーの側面とに固定されている。
【００１２】
したがって、装置本体に外力が作用して生じた装置本体の歪みに対して連結体は容易に撓み変形することが可能な向きであり、スキャナーにおける歪みの発生がより効果的に防止される。
【００１３】
請求項３記載の発明は、請求項１又は２記載の画像形成装置において、前記連結体は、前記装置本体から切り出すことにより形成されている。
【００１４】
したがって、連結体を別部品として準備する必要がなく、部品点数が低減され、組立工定数が低減される。
【００１５】
請求項４記載の発明は、請求項１ないし３のいずれか一記載の画像形成装置において、前記スキャナーの底面部に４つ又は３つの支持凸部が形成され、前記支持凸部が前記装置本体の上部に当接されている。
【００１６】
したがって、スキャナーは装置本体の上部に４つ又は３つの支持凸部を当接させて支持されているので、装置本体の上部に上下方向の歪みが生じても、その歪みがスキャナーに与える影響を最小限に抑えることができる。
【００１７】
請求項５記載の発明は、請求項１ないし４のいずれか一記載の画像形成装置において、書込ユニットを支持する書込ユニットフレームを前記装置本体内に具備し、前記書込ユニットフレームは前記装置本体に固定される３つの被支持部を有している。
【００１８】
したがって、書込ユニットフレームは３点の被支持部が装置本体に固定されているので、装置本体における書込ユニットフレームの被支持部が固定される部分の平面度が低い場合であっても、固定された書込ユニットフレームの平面度の精度を確保することができ、書込ユニットフレームによる書込ユニットの支持を良好に行える。また、装置本体における書込ユニットフレームの被支持部が固定される部分の平面度に関して高精度が要求されず、装置本体の製造コストが低減される。
【００１９】
請求項６記載の発明は、請求項５記載の画像形成装置において、前記装置本体には３つの前記被支持部が固定される３つの支持部が設けられ、隣り合う２つの前記支持部の間隔に対してそれらの２つの前記支持部に固定される２つの前記被支持部の間隔が公差を有している。
【００２０】
したがって、隣合う２つの支持部の間隔と、それらの支持部に固定される２つの被支持部の間隔とが正確に一致していなくても被支持部が支持部に固定される。このため、支持部の位置と被支持部の位置とについて高い精度が要求されず、製造コストが低減される。
【００２１】
【発明の実施の形態】
本発明の第１の実施の形態を図１ないし図６に基づいて説明する。本実施の形態では、画像形成装置としてタンデム型電子写真方式のフルカラー複写機を示している。図１はこのフルカラー複写機１の内部構造の概略を示す正面図である。
【００２２】
フルカラー複写機１は、内部に画像形成部２を収納した装置本体３と、この装置本体３が載置された給紙テーブル４と、装置本体３の上部に取り付けられたスキャナー５とから構成されている。画像形成部２は、水平向きに並列に配設された４つのドラム状の感光体６、各感光体６の周囲に配置された帯電器７、現像器８、クリーニング器９等により構成されている。なお、各感光体６上には、電子写真プロセスにしたがってそれぞれ異なる色（イエロー、マゼンタ、シアン、ブラック）のトナー像が形成される。
【００２３】
装置本体３内には上述した画像形成部２のほか、一様に帯電された感光体６の外周面を画像データに応じて露光する書込ユニット１０、各感光体６上に形成されたトナー像が次々と重ね転写される中間転写ベルト１１、中間転写ベルト１１上のカラートナー像を記録媒体Ｓに転写する転写装置１２、記録媒体Ｓを転写装置１２による転写位置に向けて送り込むレジストローラ１３、カラートナー像が転写された記録媒体Ｓを定着処理する定着装置１４等が収納されている。
【００２４】
スキャナー５は、読取対象となる原稿を自動送りするＡＤＦ１５と、ＡＤＦ１５で自動送りされた原稿又はコンタクトガラス１６上に載置された原稿を読み取る読取光学系１７とが設けられている。読取光学系１７で読み取られた画像データに応じて書込ユニット１０から各感光体６に向けてレーザー光が出射される。読取光学系１７は、コンタクトガラス１６上の原稿を読み取るために２：１の速度比で矢印方向に往復走行する第一・第二走行体１８，１９、レンズ２０、ＣＣＤ２１等により構成されている。コンタクトガラス１６上の原稿は、第一走行体１８に設けられたランプ１８ａで照明され、その反射光が第一走行体１８に設けられたミラー１８ｂ、第二走行体１９に設けられたミラー１９ａ，１９ｂで順次反射され、レンズ２０を介してＣＣＤ２１に結像されることにより画像信号として読み込まれる。読み込まれた画像信号はデジタル化等の画像処理を施されて画像データとなる。
【００２５】
給紙テーブル４内には、それぞれ記録媒体Ｓを収納した複数段の記録媒体カセット２２が設けられている。
【００２６】
このような構成において、スキャナー５のＡＤＦ１５に原稿をセットし、又は、コンタクトガラス１６上に原稿をセットしてコピースタートキーを押すと、原稿の画像が読取光学系１７で読取られ、読取られた画像データに応じて書込ユニット１０からレーザー光が出射され、このレーザー光が帯電器７により一様に帯電されて回転している各感光体６の外周面に照射されることにより静電潜像が形成される。この静電潜像は現像器８から供給されたトナーにより現像されてトナー像となり、トナー像（各感光体６上に形成された各色のトナー像）は、中間転写ベルト１１上に次々と転写され、中間転写ベルト１１上にカラートナー像が形成される。
【００２７】
一方、画像形成部２での画像形成動作の開始と相前後して選択された記録媒体カセット２２内の記録媒体Ｓが一枚ずつ搬送され、レジストローラ１３により転写装置１２による転写位置に向けて送り込まれる。レジストローラ１３による記録媒体Ｓの送り込みは、中間転写ベルト１１上のカラートナー像が記録媒体Ｓ上の適正な位置に転写されるようにタイミングを図って行われ、記録媒体Ｓ上の適正な位置にカラートナー像が転写される。カラートナー像が転写された記録媒体Ｓは定着装置１４に送り込まれて定着処理され、定着処理が終了した記録媒体Ｓは排紙トレイ２３上に排紙される。
【００２８】
このような構成の下、本実施の形態の特徴的部分について順次説明する。図２は、装置本体３のフレーム部分の構造を示したものである。このフレームの中には、スキャナー５を支持するための上部ステー２４ａ，２４ｂ、書込ユニット１０を支持する書込ユニットフレーム２５（図４、図５参照）を支持する中部ステー２６ａ，２６ｂが含まれている。
【００２９】
図３に示すように、上部ステー２４ａ，２４ｂには上面板２７が溶接又はネジ止めにより固定され、この上面板２７の上にスキャナー５が載置されている。上部ステー２４ａ，２４ｂには連結体である複数の連結板２８の下端側（一端側）が溶接固定され、上方向きに突出した連結板２８の上端側（他端側）はスキャナー５の側面に当接され、ネジ２９で締付け固定されている。
【００３０】
連結板２８は板形状に形成された金属板であり、スキャナー５を支持可能な剛性と、装置本体３の歪みがスキャナー５に伝わることを阻止可能な可撓性とを有する。連結板２８は、厚み方向の薄い方向の面が上部ステー２４ａ，２４ｂとスキャナー５の側面とに当接されている。
【００３１】
ここで、本実施の形態では、連結板２８として金属板を用いた場合について説明したが、樹脂や硬質ゴムの板状部材を用いてもよい。
【００３２】
図４及び図５に示すように、中部ステー２６ａ，２６ｂには書込ユニットフレーム２５が支持されている。書込ユニットフレーム２５の一辺側には２つの被支持部３０ａ，３０ｂが設けられ、この一辺側の反対側に位置する書込ユニットフレーム２５の他辺側には１つの被支持部３０ｃが設けられている。これらの被支持部３０ａ，３０ｂ，３０ｃはそれぞれネジ止め用のネジ３１が挿通される穴であり、中部ステー２６ａ，２６ｂにはネジ止め用のネジ３１が螺合される支持部であるネジ穴３２ａ，３２ｂ，３２ｃが形成されている。
【００３３】
書込ユニットフレーム２５の一辺側に位置する２つの被支持部３０ａ，３０ｂのうち、一方の被支持部３０ａは書込ユニットフレーム２５を支持するときの主位置合わせ部とされる部分であり、この被支持部３０ａを挿通してネジ穴３２ａに螺合されるネジ３１の外形寸法と略同じ内径寸法に形成されている。他方の被支持部３０ｂは被支持部３０ａとの間隔方向に沿って長い長穴形状に形成され、被支持部３０ａ，３０ｂの間隔はこれらの被支持部３０ａ，３０ｂを挿通したネジ３１が螺合されるネジ穴３２ａ，３２ｂの間隔に対して公差を有している。
【００３４】
他辺側に位置する１つの被支持部３０ｃは、ネジ穴３２に螺合されるネジ３０より大径に形成され、被支持部３０ａ，３０ｃの間隔、及び、被支持部３０ｂ，３０ｃの間隔は、これらの被支持部３０ａ，３０ｃ（又は、３０ｂ，３０ｃ）を挿通したネジ３１が螺合されるネジ穴３２ａ，３２ｃ（又は、３２ｂ，３２ｃ）の間隔に対して公差を有している。
【００３５】
また、図５に示すように、他辺側に位置する１つの被支持部３０ｃは、一辺側に位置する２つの被支持部３０ａ，３０ｂを結んだ線“Ａ”の垂直２等分線“Ｂ”に対して、２つの被支持部３０ａ，３０ｂの間隔“Ｌ”の略１／４ずつ離れた２つの平行線“Ｃ”の内側に位置している。
【００３６】
このような構成において、装置本体３とスキャナー５とは、スキャナー５を支持可能な剛性と装置本体３の歪みがスキャナー５に伝わることを阻止可能な可撓性とを有する連結板２８で固定されているため、スキャナー５に外力が作用した場合にスキャナー５が揺れ動くことが防止される。
【００３７】
一方、図６に示すように、装置本体３が角度θの歪みを生じた場合には、連結板２８が撓み変形して装置本体３の歪みがスキャナー５に伝わることが阻止される。このため、外力の作用により装置本体３が歪みを生じた場合でもスキャナー５は歪みを生じることがなく、スキャナー５の読取性能が良好に維持される。
【００３８】
書込ユニットフレーム２５の装置本体３への取り付けに関しては、書込ユニットフレーム２５の被支持部３０ａ，３０ｂ，３０ｃを中部ステー２４ａ，２６ｂに形成されたネジ穴３２ａ，３２ｂ，３２ｃに位置合わせし、被支持部３０ａ，３０ｂ，３０ｃに挿通させたネジ３１をネジ穴３２ａ，３２ｂ，３２ｃに螺合させることにより行われている。このようにして、装置本体３への書込ユニットフレーム２５の取り付けを３点で行うため、装置本体３の中部ステー２４ａ，２６ｂの平面度が低い場合であっても、書込ユニットフレーム２５の平面度の精度を確保して書込ユニットフレーム２５の上面が湾曲することを防止でき、書込ユニットフレーム２５による書込ユニット１０の支持を良好に行える。また、装置本体３における書込ユニットフレーム２５が取り付けられる部分である中部ステー２４ａ，２６ｂの平面度に関して高精度が要求されず、装置本体３の製造コストが低減される。
【００３９】
書込ユニットフレーム２５を装置本体３に取り付けるときにおける被支持部３０ａ，３０ｂ，３０ｃと中部ステー２４ａ，２６ｂに形成されたネジ穴３２ａ，３２ｂ，３２ｃとの位置合わせに関しては、１つの被支持部３０ａが主位置合わせ部とされ、隣り合う２つのネジ穴３２ａ，３２ｂ（又は３２ａ，３２ｃ、又は３２ａ，３２ｃ）の間隔に対してそれらのネジ穴に固定される２つの被支持部３０ａ，３０ｂ（又は３０ａ，３０ｃ、又は３０ａ，３０ｃ）の間隔が公差を有するので、３つのネジ穴３２ａ，３２ｂ，３２ｃの位置と３つの被支持部３０ａ，３０ｂ，３０ｃの位置とがずれを生じている場合でも、装置本体３への書込ユニットフレーム２５との取り付けを確実に行える。しかも、３つのネジ穴３２ａ，３２ｂ，３２ｃの位置と３つの被支持部３０ａ，３０ｂ，３０ｃの位置とを高い精度で一致させる必要がなく、装置本体３や書込ユニットフレーム２５の製造コストが低減される。
【００４０】
また、３つの被支持部３０ａ，３０ｂ，３０ｃの位置に関し、図５に示すように、被支持部３０ｃは、被支持部３０ａ，３０ｂを結んだ線“Ａ”の垂直２等分線“Ｂ”に対して、被支持部３０ａ，３０ｂの間隔“Ｌ”の略１／４ずつ離れた平行線“Ｃ”の内側に位置しているので、この書込ユニットフレーム２５で書込ユニット１０を支持した場合、書込ユニット１０の重量がバランス良く３つの被支持部３０ａ，３０ｂ，３０ｃで支持され、書込ユニット１０の重量の影響による書込ユニットフレーム２５の変形が防止される。このため、書込ユニットフレーム２５の変形が原因となる書込精度の低下が抑制される。
【００４１】
本発明の第２の実施の形態を図７に基づいて説明する。なお、図１ないし図６において説明した部分と同じ部分は同じ符号で示し、説明も省略する（以下の実施の形態も同じ）。
【００４２】
上部ステー２４ａ，２４ｂ（２４ｂは図示せず）には上面板２７が溶接又はネジ止めにより固定され、この上面板２７の上にスキャナー５が載置されている。上部ステー２４ａ，２４ｂには複数の連結体３３が形成され、これらの連結体３３は上部ステー２４ａ，２４ｂから切り出すことにより形成されている。上部ステー２４ａ，２４ｂから切り出された連結体３３は上方向きに折り曲げられ、上方向きに突出した連結体３３の上端側はスキャナー５の側面に当接され、ネジ２９で締付け固定されている。連結体３３は、スキャナー５を支持可能な剛性と装置本体３の歪みがスキャナー５に伝わることを阻止可能な可撓性とを有している。
【００４３】
このような構成において、装置本体３とスキャナー５とは、スキャナー５を支持可能な剛性と装置本体３の歪みがスキャナー５に伝わることを阻止可能な可撓性とを有する連結体３３で固定されているため、スキャナー５に外力が作用した場合にスキャナー５が揺れ動くことが防止される。
【００４４】
一方、装置本体３が図６に示すように角度θの歪みを生じた場合には、連結体３３が撓み変形して装置本体３の歪みがスキャナー５に伝わることが阻止される。このため、外力の作用により装置本体３が歪みを生じた場合でもスキャナー５は歪みを生じることがなく、スキャナー５の読取性能が良好に維持される。
【００４５】
また、連結体３３は上部ステー２４ａ，２４ｂと一体に形成されているため、連結体３３を別部品として準備する必要がなく、部品点数が低減され、組立工定数も低減される。
【００４６】
本発明の第３の実施の形態を図８及び図９に基づいて説明する。本実施の形態では、装置本体３とスキャナー５との連結は、第１の実施の形態と同じであり、装置本体３に一端側を溶接固定された複数の連結板２８をスキャナー５にネジ２９で固定することにより行われている。本実施の形態と第１の実施の形態との異なる点は、スキャナー５の底面部に３点又は４点の支持凸部３４が形成され、これらの支持凸部３４が装置本体３の上面板２７の上面に当接されている点である。
【００４７】
このような構成において、スキャナー５は上面板２７上に３点又は４点の支持凸部３４によって点支持されているため、上面板２７が上下方向の歪みを生じた場合でも、その歪みを生じた位置が支持凸部３４との当接箇所でなければその歪みはスキャナー５の支持状態に何ら影響を与えない。このため、上面板２７の歪みがスキャナー５に与える影響を最小限に抑えることができ、上面板２７の上下方向の歪みが原因となるスキャナー５の読取精度の低下が抑制される。
【００４８】
【発明の効果】
請求項１記載の発明の画像形成装置によれば、装置本体に外力が作用して装置本体が歪みを生じた場合には、連結体が撓み変形することにより装置本体の歪みがスキャナーに伝わることを阻止でき、装置本体の歪みが原因でスキャナーが歪むことによるスキャナーの読取性能の低下を防止できる。
【００４９】
請求項２記載の発明によれば、請求項１記載の画像形成装置において、前記連結体は板形状に形成され、厚み寸法の薄い方向の面が前記スキャナーの側面に固定されているので、装置本体に外力が作用して生じた装置本体の歪みに対して連結体は容易に撓み変形することが可能な向きであり、スキャナーにおける歪みの発生をより効果的に防止できる。
【００５０】
請求項３記載の発明によれば、請求項１又は２記載の画像形成装置において、前記連結体は、前記装置本体から切り出すことにより形成されているので、連結体を別部品として準備する必要がなく、部品点数の低減、組立工定数の低減を図ることができる。
【００５１】
請求項４記載の発明によれば、請求項１ないし３のいずれか一記載の画像形成装置において、前記スキャナーの底面部に４つ又は３つの支持凸部が形成され、前記支持凸部が前記装置本体の上部に当接されているので、装置本体の上部に上下方向の歪みが生じても、その歪みがスキャナーに与える影響を最小限に抑えることができる。
【００５２】
請求項５記載の発明によれば、請求項１ないし４のいずれか一記載の画像形成装置において、書込ユニットを支持する書込ユニットフレームを前記装置本体内に具備し、前記書込ユニットフレームは前記装置本体に固定される３つの被支持部を有しているので、装置本体における書込ユニットフレームの被支持部が固定される部分の平面度が低い場合であっても、固定された書込ユニットフレームの平面度の精度を確保することができ、書込ユニットフレームによる書込ユニットの支持を良好に行うことができる。
【００５３】
請求項６記載の発明によれば、請求項５記載の画像形成装置において、請求項５記載の画像形成装置において、前記装置本体には３つの前記被支持部が固定される３つの支持部が設けられ、隣り合う２つの前記支持部の間隔に対してそれらの２つの前記支持部に固定される２つの前記被支持部の間隔が公差を有しているので、隣合う２つの支持部の間隔と、それらの支持部に固定される２つの被支持部の間隔とが正確に一致していなくても被支持部を支持部に固定することができ、支持部の位置と被支持部の位置とについて高い精度が要求されず、製造コストを低減することができる。
【図面の簡単な説明】
【図１】本発明の第１の実施の形態の複写機を示す概略図である。
【図２】装置本体のフレームの構造を示す斜視図である。
【図３】装置本体へのスキャナーの固定状態を示す斜視図である。
【図４】装置本体への書込ユニットフレームの取付状態を示す斜視図である。
【図５】装置本体への書込ユニットフレームの取付状態を示す平面図である。
【図６】装置本体に歪みが生じてもスキャナーは歪みを生じないことを示す平面図である。
【図７】本発明の第２の実施の形態の複写機における装置本体へのスキャナーの固定状態を示す斜視図である。
【図８】本発明の第３の実施の形態の複写機における装置本体へのスキャナーの固定状態を示す斜視図である。
【図９】その側面図である。
【図１０】従来例の複写機における装置本体へのスキャナーの固定状態を示す斜視図である。
【図１１】装置変体に歪みが生じるとその歪みがスキャナーに伝わることを示す平面図である。
【図１２】従来例の複写機における装置本体へのスキャナーの固定状態の他の例を示す斜視図である。
【符号の説明】
２      画像形成部
３      装置本体
５      スキャナー
１０      書込ユニット
２５      書込ユニットフレーム
２８      連結体
３０ａ、３０ｂ、３０ｃ    被支持部
３２ａ、３２ｂ、３２ｃ    支持部
３３      連結体
３４      支持凸部
【図１】
2005043540.tif 000003
【図２】
2005043540.tif 000004
【図３】
2005043540.tif 000005
【図４】
2005043540.tif 000006
【図５】
2005043540.tif 000007
【図６】
2005043540.tif 000008
【図７】
2005043540.tif 000009
【図８】
2005043540.tif 000010
【図９】
2005043540.tif 000011
【図１０】
2005043540.tif 000012
【図１１】
2005043540.tif 000013
【図１２】
2005043540.tif 000014